(57)【要約】【課題】前面開口部に扉を設けるタイプの箱型家具を、引き出しタイプにリフォームするに当たって、引き出し用の支持部材の位置出しを容易かつ正確に行うことが可能な箱型家具のリフォーム方法を提供することを目的とする。【解決手段】箱型家具１を、前面開口部１ａを開閉する扉７を有するタイプから、収納スペースとなる引き出し８，９，１０を前方に引き出して使用する引き出しタイプにリフォームする方法であって、リフォーム時に、箱型家具１の内部空間における互いに対向する矩形状の内側面のそれぞれに取り付けられる矩形状の面材１２を、引き出し８，９，１０を前方に引き出し自在に支持する支持部材１１を固定した状態で予め用意しておき、扉７を取り外した後、矩形状の面材１２を箱型家具１の内側面に取り付けることによって、箱型家具１の内部空間に支持部材１１を設置する。【選択図】図１
2015167604.tif 000002
【特許請求の範囲】
【請求項１】
前面開口部を有する箱型家具を、前記前面開口部を開閉する扉を有するタイプから、収納スペースとなる引き出しを前方に引き出して使用する引き出しタイプにリフォームする方法であって、
前記箱型家具は、当該箱型家具の内部空間を構成し、かつ互いに対向する矩形状の内側面をさらに有するものであり、リフォーム時に当該内側面のそれぞれに取り付けられる矩形状の面材を、前記引き出しを前方に引き出し自在に支持する支持部材を固定した状態で予め用意しておき、
リフォーム時において前記扉を取り外した後、前記矩形状の面材を前記箱型家具の前記内側面に取り付けることによって、前記箱型家具の内部空間に前記支持部材を設置し、その後、前記引き出しを前記支持部材と係合させるとともに前記前面開口部から収納することを特徴とする箱型家具のリフォーム方法。
【請求項２】
請求項１に記載の箱型家具のリフォーム方法において、
前記矩形状の面材は板材であることを特徴とする箱型家具のリフォーム方法。
【請求項３】
請求項１に記載の箱型家具のリフォーム方法において、
前記矩形状の面材は軟質シートであることを特徴とする箱型家具のリフォーム方法。
【請求項４】
請求項１〜３のいずれか一項に記載の箱型家具のリフォーム方法において、
前記矩形状の面材を前記箱型家具の前記内側面に接着して取り付けた後、前記支持部材を、前記内側面にビス留めすることを特徴とする箱型家具のリフォーム方法。
【請求項５】
請求項１〜４のいずれか一項に記載の箱型家具のリフォーム方法において、
前記矩形状の面材を前記箱型家具の前記内側面に取り付ける際に、前記矩形状の面材と前記箱型家具の内側面との間に調整材を介在させて、前記箱型家具の内部空間における幅寸法を調整することを特徴とする箱型家具のリフォーム方法。
【発明の詳細な説明】
【技術分野】
【０００１】
本発明は、流し台や収納棚等の箱型家具のリフォーム方法に関する。
【背景技術】
【０００２】
流し台や収納棚等の箱型家具には、当該箱型家具の前面開口部を開閉する扉が設けられており、当該扉によって、外側から収納物が見えないようにしたり、収納物に埃や水が掛かることを防いだりしている。また、このような扉として、開き戸形式のものや、引き戸形式のものが挙げられる（例えば特許文献１参照）。
また、箱型家具としては、前面開口部に扉を設けて家具内部をそのまま収納スペースとして利用するタイプの他に、引き出しを設けて、その引き出しを収納スペースとするタイプも知られている（例えば特許文献２参照）。
【先行技術文献】
【特許文献】
【０００３】
【特許文献１】特開平０６−１８９８２７号公報
【特許文献２】特開２０１３−１０４６０７号公報
【発明の概要】
【発明が解決しようとする課題】
【０００４】
ところで、前面開口部に扉を設けるタイプの箱型家具の所有者が、引き出しタイプの箱型家具を利用することを望んだ場合に、従来は買い替えるなどして家具の交換を行っていた。しかしながら、特に流し台のような大型の箱型家具の交換には多大なコストがかかってしまい、容易いものではなかった。
そこで、前面開口部に扉を設けるタイプの箱型家具を、引き出しタイプの箱型家具にリフォームすることが考えられるが、引き出しを前方に引き出し自在に支持するレール部材やアーム部材（以下、支持部材）を、箱型家具の内側面に後付けすることになるので、その正確な位置出しが困難であるという問題があった。
【０００５】
本発明の課題は、前面開口部に扉を設けるタイプの箱型家具を、引き出しタイプにリフォームするに当たって、引き出し用の支持部材の位置出しを容易かつ正確に行うことが可能な箱型家具のリフォーム方法を提供することを目的とする。
【課題を解決するための手段】
【０００６】
請求項１に記載の発明は、例えば図１〜図１４に示すように、前面開口部１ａを有する箱型家具１を、前記前面開口部１ａを開閉する扉７を有するタイプから、収納スペースとなる引き出し８，９，１０を前方に引き出して使用する引き出しタイプにリフォームする方法であって、
前記箱型家具１は、当該箱型家具１の内部空間を構成し、かつ互いに対向する矩形状の内側面（例えば、側板４，５の内側面）をさらに有するものであり、リフォーム時に当該内側面のそれぞれに取り付けられる矩形状の面材１２（１３）を、前記引き出し８，９，１０を前方に引き出し自在に支持する支持部材１１を固定した状態で予め用意しておき、
リフォーム時において前記扉７を取り外した後、前記矩形状の面材１２（１３）を前記箱型家具１の前記内側面に取り付けることによって、前記箱型家具１の内部空間に前記支持部材１１を設置し、その後、前記引き出し８，９，１０を前記支持部材１１と係合させるとともに前記前面開口部１ａから収納することを特徴とする。
【０００７】
請求項１に記載の発明によれば、リフォーム時において扉７を取り外した後に、矩形状の面材１２（１３）を箱型家具１の内側面に取り付けることによって、箱型家具１の内部空間に引き出し８，９，１０用の支持部材１１を設置するので、例えば支持部材１１を箱型家具１の内側面に直接取り付ける場合に比して、その位置出しを容易かつ正確に行うことが可能となる。そして、その後、引き出し８，９，１０を支持部材１１と係合させるとともに前面開口部１ａから収納するだけで、簡単に、前面開口部１ａに扉７を設けるタイプの箱型家具を、引き出しタイプにリフォームできる。
【０００８】
請求項２に記載の発明は、例えば図１，図２，図１０に示すように、請求項１に記載の箱型家具１のリフォーム方法において、前記矩形状の面材１２（１３）は板材であることを特徴とする。
【０００９】
請求項２に記載の発明によれば、矩形状の面材１２（１３）が板材であるため、変形しにくく取り扱いやすい。換言すれば、矩形状の面材１２（１３）を箱型家具１の内側面に取り付ける際に位置ずれ等を起こしにくく、より容易かつ正確に支持部材１１の位置出しが可能となる。
【００１０】
請求項３に記載の発明は、請求項１に記載の箱型家具１のリフォーム方法において、前記矩形状の面材１２は軟質シートであることを特徴とする。
【００１１】
請求項３に記載の発明によれば、矩形状の面材１２が軟質シートであるため、軽量で取り扱いやすい。さらに、軟質シートは薄いものであるため、箱型家具１の内部空間における幅寸法を必要以上に狭めることがない。これに伴って、引き出し８，９，１０の幅寸法も長くすることができるので、その収納スペースを極力広く確保できる。
【００１２】
請求項４に記載の発明は、例えば図１に示すように、請求項１〜３のいずれか一項に記載の箱型家具１のリフォーム方法において、
前記矩形状の面材１２（１３）を前記箱型家具１の前記内側面に接着して取り付けた後、前記支持部材１１を、前記内側面にビス留めすることを特徴とする。
【００１３】
請求項４に記載の発明によれば、矩形状の面材１２（１３）を箱型家具１の内側面に接着して取り付けた後、支持部材１１を、内側面にビス留めするので、引き出し８，９，１０の荷重がかかる支持部材１１を確実に固定することができる。
【００１４】
請求項５に記載の発明は、請求項１〜４のいずれか一項に記載の箱型家具１のリフォーム方法において、
前記矩形状の面材１２（１３）を前記箱型家具１の前記内側面に取り付ける際に、前記矩形状の面材１２（１３）と前記箱型家具１の内側面との間に調整材を介在させて、前記箱型家具１の内部空間における幅寸法を調整することを特徴とする。
【００１５】
請求項５に記載の発明によれば、矩形状の面材１２（１３）と箱型家具１の内側面との間に調整材を介在させて、箱型家具１の内部空間における幅寸法を調整するので、例えば経年変化等によって、箱型家具１の内部空間における幅寸法が変わっていた場合や、箱型家具の内部空間における幅寸法と引き出し８，９，１０の幅寸法とに僅かな誤差が生じている場合にも対応できる。すなわち、引き出し８，９，１０を箱型家具１の内部空間に確実に収納でき、がたつき等も生じにくくなる。
【発明の効果】
【００１６】
本発明によれば、前面開口部に扉を設けるタイプの箱型家具を、引き出しタイプにリフォームするに当たって、引き出し用の支持部材の位置出しを容易かつ正確に行うことが可能となる。
【図面の簡単な説明】
【００１７】
【図１】箱型家具のリフォーム方法の概略を説明する斜視図である。
【図２】板材である矩形状の面材の他の例を示す斜視図である。
【図３】リフォーム前の流し台および吊戸棚の正面図である。
【図４】リフォーム前の流し台および吊戸棚の側断面図である。
【図５】リフォーム前の流し台の平面図である。
【図６】リフォーム前の流し台および吊戸棚から扉を取り外した状態を示す正面図である。
【図７】リフォーム後の流し台および吊戸棚の正面図である。
【図８】リフォーム後の流し台および吊戸棚の側断面図である。
【図９】リフォーム後の流し台の平面図である。
【図１０】リフォーム後の流し台および吊戸棚から引き出しの前面板を除いた状態を示す正面図である。
【図１１】リフォーム前のカップボードの正面図である。
【図１２】リフォーム前のカップボードの側断面図である。
【図１３】リフォーム後のカップボードの正面図である。
【図１４】リフォーム後のカップボードの側断面図である。
【図１５】リフォーム後のカップボードにおけるカウンターの側断面図である。
【発明を実施するための形態】
【００１８】
以下、図面を参照して本発明の実施の形態について説明する。
図１において符号１は、箱型家具を示す。この箱型家具１は、天井面と、底面と、後方および側方の三方の内側面とで囲まれる内部空間を有する。そして、この箱型家具１の前面は前方に向かって開口する前面開口部１ａとなっている。
より具体的に説明すると、この箱型家具１は、上板２と、底板３と、左右の側板４，５と、背板６とを備え、前面が開放されることによって箱状に形成されている。したがって、上板２の下面が前記天井面であり、底板３の上面が前記底面であり、左右の側板４，５および背板６の内側が前記内側面である。
【００１９】
なお、箱型家具１が所謂備え付けの家具である場合には、側板４，５や背板６の代わりに部屋の壁を用いる場合があり、その壁の内側が前記内側面として利用される。同じように、上板２の代わりに部屋の天井を用いる場合は、その天井が前記天井面として利用される。底板３の代わりに部屋の床を用いる場合は、その床が前記底面として利用される。
天井面、底面、内側面のうち、少なくとも左右の互いに対向する内側面は矩形状に形成されている。さらに、当該左右の互いに対向する内側面の面積は等しく設定されている。
【００２０】
リフォーム前の箱型家具１には、前面開口部１ａを開閉する扉７が設けられた状態となっていた。扉７としては、図１に示す開き戸形式のものや、引き戸形式のもの、その他の形式の扉が利用可能である。
扉７が、例えば開き戸形式であった場合には、蝶番等の金具を介して側板４または側板５に取り付けられる。また、引き戸形式の場合は、上板２および底板３には、引き戸用のレールレールが取り付けられる。
【００２１】
そして、箱型家具１を、前面開口部１ａを開閉する扉７を有するタイプから、収納スペースとなる引き出し８，９，１０を前方に引き出して使用する引き出しタイプにリフォームする際には、まず、扉７が取り外される。扉７が取り外されると、前面開口部１ａを介して箱型家具１の内部空間が露出した状態となる。この内部空間に、引き出し８，９，１０が収められる。
【００２２】
引き出し８は、箱型家具１の最上段に配置される引き出しであり、前面板８ａと、当該前面板８ａを含んで構成される箱状の収納部８ｂと、を有する。
引き出し９は、箱型家具１の最下段に配置される引き出しであり、前面板９ａと、当該前面板９ａを含んで構成される箱状の収納部９ｂと、を有する。なお、本実施の形態において、当該引き出し９は、最上段の引き出し８よりも大きいサイズに設定されている。
引き出し１０は、引き出し９の収納部９ｂの上方に位置し、かつ引き出し９とは独立して使用できる内部引き出しである。すなわち、当該引き出し１０は、引き出し９を引き出した状態において箱型家具１の内部空間から出し入れすることができる。
【００２３】
引き出し８，９，１０は、当該引き出し８，９，１０を前方に引き出し自在（および、引き出した後に箱型家具１の内部空間に押し入れ自在）に支持する支持部材１１とセットで用いられる。
図１に示す支持部材１１は、引き出し用のレール部材であり、箱型家具１の内側面に固定される固定側レール１１ａと、当該固定側レール１１ａに係合するとともに引き出し８，９，１０の収納部８ｂ，９ｂ，１０ｂの左右の側面に固定されるスライドレール１１ｂとを有する。すなわち、引き出し８，９，１０の引き出し動作および押し入れ動作に伴って、引き出し８，９，１０に固定されたスライドレール１１ｂが、固定側レール１１ａに対してスライドする構成となっている。
【００２４】
支持部材１１の固定側レール１１ａは、リフォーム時に箱型家具１の左右の内側面のそれぞれに取り付けられる矩形状の面材１２に予め固定されている。すなわち、支持部材１１の固定側レール１１ａを固定した状態の矩形状の面材１２を予め用意しておく。
固定側レール１１ａを面材１２に固定する方法は特に限定されるものではなく、例えば小ねじ等の固着具を用いてもよいし、接着剤等によって接合してもよい。
支持部材１１の固定側レール１１ａは、矩形状の面材１２が左右の内側面に固定された時の、当該固定側レール１１ａの設置位置が正確となるように調整されたうえで、矩形状の面材１２に固定されている。
矩形状の面材１２は表面が平滑な板材である。また、板材の材質としては木質が好適に選択されるが、これに限られるものではなく、樹脂製、金属製でもよい。いずれの材質であっても、支持部材１１の固定側レール１１ａが予め固定される矩形状の面材１２として板材を用いる場合は、変形しにくく取り扱いやすい。
【００２５】
なお、本実施の形態における矩形状の面材１２として、図１に示す表面が平滑な、かつ木質の板材を採用したが、これに限られるものではなく、適宜変更可能である。
矩形状の面材の他の例として、図２に示す矩形状の面材１３を挙げる。当該矩形状の面材１３は板材であり、表面に多数の穴１３ａが開けられた状態となっている。
これら多数の穴１３ａは支持部材１１の固定側レール１１ａを面材１３に固定する固着具を差し込むためのものであり、支持部材１１の固定側レール１１ａにも同様の大きさの貫通孔が開けられている。
固定側レール１１ａを面材１３に固定する際は、固着具を、固定側レール１１ａに形成された貫通孔に通し、さらに面材１３に形成された穴１３ａに差し込むことで固定できる。
このように多数の穴１３ａが形成された面材１３であれば、支持部材１１の固定側レール１１ａを固定する位置を、多数の穴１３ａのいずれかにすることができるので、固定側レール１１ａを面材１３に簡易に固定することができる。
【００２６】
さらに矩形状の面材の他の例として、図示はしないが、軟質シートを採用してもよい。材質は樹脂製のものや各種繊維によるもの等が挙げられる。
このように矩形状の面材として軟質シートを用いる場合は、軽量で取り扱いやすいという利点がある。さらに、軟質シートは薄いものであるため、箱型家具１の内部空間における幅寸法を必要以上に狭めることがない。これに伴って、引き出し８，９，１０の幅寸法も長くすることができるので、その収納スペースを極力広く確保できる。
【００２７】
そして、箱型家具１を、前面開口部１ａを開閉する扉７を有するタイプから、収納スペースとなる引き出し８，９，１０を前方に引き出して使用する引き出しタイプにリフォームする際は、扉７を取り外した後に、以上のように支持部材１１の固定側レール１１ａが予め固定された矩形状の面材１２を、箱型家具１の左右の内側面に取り付ける。これによって、箱型家具１の内部空間に、支持部材１１の固定側レール１１ａを設置できることになる。
【００２８】
より詳細に説明すると、矩形状の面材１２を箱型家具１の左右の内側面に取り付ける際は、図示しない接着剤によって、面材１２の裏面全体を箱型家具１の内側面に接合して取り付ける。
矩形状の面材１２を箱型家具１の左右の内側面に接着して取り付けた後は、支持部材１１の固定側レール１１ａを、左右の内側面のそれぞれにビス留めする。
【００２９】
また、矩形状の面材１２を箱型家具１の左右の内側面に取り付ける際は、必要に応じて、矩形状の面材１２と箱型家具１の左右の内側面との間に調整材（図示せず）を介在させて、箱型家具１の内部空間における幅寸法を調整することが望ましい。必要に応じて、とは、例えば経年変化等によって、箱型家具１の内部空間における幅寸法（左右の内側面間の間隔寸法）が変わっていた場合や、箱型家具１の内部空間における幅寸法と引き出し８，９，１０の幅寸法とに僅かな誤差が生じている場合等を指す。
調整材としては、図示はしないが、例えば、矩形状の面材１２と略等しい面積に設定された面材や、矩形状の面材１２と箱型家具１の左右の内側面との間に充填されて固化する充填剤等が挙げられる。
【００３０】
ここで、板材である矩形状の面材１２における固定側レール１１ａの取付高さおよび幅寸法を調整する方法を説明する。
すなわち、引き出し８，９，１０と矩形状の面材１２とを、支持部材１１を介して連結した状態とする。その状態のものを、面材１２と左右の内側面との間の隙間を前記調整材で調整しながら形を作って箱型家具１の内部空間に差し込み、仮止めテープで面材１２を固定する。そして、引き出し８，９，１０だけを、スライドレール１１ｂを固定側レール１１ａから取り外すようにして引き抜き、その後、ビス等の固着具によって固定側レール１１ａを左右の内側面のそれぞれに本固定すれば、左右の内側面における固定側レール１１ａの位置（すなわち、取付高さおよび内部空間の幅方向における位置）をバランスよく正確に決めることができる。
【００３１】
また、上述の方法とは別に、矩形状の面材１２自体を箱型家具１の左右の内側面に正確な位置で取り付ける方法を説明する。すなわち、板材である矩形状の面材１２の場合、例えば軟質シートとは異なり、ある程度の剛性を有するので、矩形状の面材１２の下端縁を、箱型家具１の底面に突き当てるようにすれば位置ずれが生じにくい。さらに矩形状の面材１２の前端縁（または後端縁）と、左右の内側面の前端縁（または後端縁）と揃えるようにすれば、より一層位置ずれが生じにくくなる。つまり、矩形状の面材１２の下端縁および箱型家具１の底面と、矩形状の面材１２の前端縁（後端縁）および箱型家具１の左右の内側面の前端縁（後端縁）とを基準にすれば、左右の面材１２同士の位置を合わせることができる。
一方、矩形状の面材１２が軟質シートである場合は、板材の場合とは異なり箱型家具１の底面に突き当てることができないため、その下端縁を基準とすることは難しい。したがって、軟質シートを採用する場合は、少なくともその上端縁と、箱型家具１の左右の内側面の上端縁とを揃えれば、左右のシート状の面材同士の位置を合わせることができる。
【００３２】
なお、以上のように説明した各種調整方法は、いずれを採用してもよいし、可能な範囲で組み合わせて採用してもよい。各種調整方法を行うに当たっては、係合し合う固定側レール１１ａとスライドレール１１ｂとの間に、ある程度の遊びがあり、引き出し８，９，１０の使用時にはその遊びを吸収して支障なく使えることが望ましい。
【００３３】
箱型家具１の内部空間に、支持部材１１の固定側レール１１ａを設置した後は、引き出し８，９，１０を支持部材１１と係合させるとともに前面開口部１ａから収納する。
より詳細に説明すると、引き出し８，９，１０の収納部８ｂ，９ｂ，１０ｂの左右の側面に固定されたスライドレール１１ｂを、箱型家具１の左右の内側面に固定された固定側レール１１ａに係合させるようにする。
そして、引き出し８，９，１０を、箱型家具１の内部空間に収納する。このようにして箱型家具１を、前面開口部１ａを開閉する扉７を有するタイプから、収納スペースとなる引き出し８，９，１０を前方に引き出して使用する引き出しタイプにリフォームすることができる。
なお、箱型家具によっては、リフォーム前の状態で引き出しを有するものがある。このような場合は、リフォーム時に、引き出しそのものを交換してもよいし、前面板のみを交換して収納部を再利用する形でもよい。収納部を再利用する場合は、支持部材もそのまま再利用できる。
【００３４】
本実施の形態によれば、リフォーム時において扉７を取り外した後に、矩形状の面材１２を箱型家具１の左右の内側面に取り付けることによって、箱型家具１の内部空間に引き出し８，９，１０用の支持部材１１を設置するので、例えば支持部材１１を箱型家具１の内側面に直接取り付ける場合に比して、その位置出しを容易かつ正確に行うことが可能となる。そして、その後、引き出し８，９，１０を支持部材１１と係合させるとともに前面開口部１ａから収納するだけで、簡単に、前面開口部１ａに扉７を設けるタイプの箱型家具１を、引き出しタイプにリフォームできる。
【００３５】
また、支持部材１１の固定側レール１１ａが固定される矩形状の面材１２が板材であるため、変形しにくく取り扱いやすい。換言すれば、矩形状の面材１２を箱型家具１の左右の内側面に取り付ける際に位置ずれ等を起こしにくく、より容易かつ正確に支持部材１１の固定側レール１１ａの位置出しが可能となる。
【００３６】
また、矩形状の面材１２を箱型家具１の左右の内側面に接着して取り付けた後、支持部材１１の固定側レール１１ａを、左右の内側面にビス留めするので、引き出し８，９，１０の荷重がかかる支持部材１１の固定側レール１１ａを確実に固定することができる。
【００３７】
また例えば経年変化等によって、箱型家具１の内部空間における幅寸法が変わっていた場合や、箱型家具１の内部空間における幅寸法と引き出し８，９，１０の幅寸法とに僅かな誤差が生じている場合等においては、矩形状の面材１２と箱型家具１の左右の内側面との間に調整材を介在させて、箱型家具１の内部空間における幅寸法を調整するので、引き出し８，９，１０を箱型家具１の内部空間に確実に収納でき、がたつき等も生じにくくなる。
【００３８】
＜実施例＞
箱型家具のリフォーム方法について、以上の記載では、最も単純な構造の箱型家具１を挙げて説明したが、前面開口部を開閉する扉を有するタイプから引き出しタイプにリフォームする場合においては、その他の箱型家具も同様にリフォームを行うことができる。このような箱型家具としては、例えばキッチンの流し台や、カップボード等のキャビネット、タンス等、様々なものが挙げられる。
また、支持部材も、以上の記載では、引き出しに適用しやすい固定側レール１１ａとスライドレール１１ｂとからなるものを採用したが、これに限られるものではなく、その他の形式のスライド手段であってもよいし、その他の前後移動手段であってもよい。すなわち、支持部材としては、引き出しを前後方向に出し入れ自在としつつ当該引き出しを支持できればよい。
【００３９】
［システムキッチン］
箱型家具のリフォーム方法の実施例として所謂システムキッチンのリフォーム方法を挙げ、図３〜図８を参照して説明する。
図３〜図６はリフォーム前のシステムキッチンである。当該システムキッチンは、流し台２０と、流し台２０の上方に配置される吊戸棚４０と、流し台２０の上方であって、かつ吊戸棚４０に隣接して配置される換気扇５０と、を備える。
なお、本実施例におけるシステムキッチンは、図３〜図５に示すように、両側面と背面の三方が壁Ｋ１，Ｋ２，Ｋ３に囲まれた所謂壁付けタイプである。そして、図４に示すように流し台２０には背板はなく、代わりに背面側の壁Ｋ１が内部空間における背面側の内側面となっている。
また、本実施の形態のシステムキッチンは壁付けタイプとしたが、これに限られるものではなく、例えばアイランドキッチンでもよいし、ペニンシュラキッチンでもよい。
【００４０】
流し台２０は、コンロ２１ａおよびシンク２１ｂのある所謂コンロ付き流し台である。
流し台２０の内部空間は、複数のスペースＳ１，Ｓ２，Ｓ３，Ｓ４，Ｓ５に区切られて構成されている（図６参照）。各スペースＳ１〜Ｓ５のそれぞれの前面は、前方に向かって開口する前面開口部となっている。
各スペースＳ１〜Ｓ５は、それぞれが箱型家具として機能するものであり、流し台２０は、その箱型家具の集合体となっている。すなわち、各スペースＳ１〜Ｓ５を構成する箱型家具は、それぞれが天井面と、底面と、左右および背側の内側面とを有するものである。
箱型家具の集合体である流し台２０は、全体として、各スペースＳ１〜Ｓ５共通の天板２２と、床面よりも高い位置に支持された底板２３と、壁Ｋ２，Ｋ３に当接する左右の側板２４，２５と、複数の仕切り板２６とを備える。
なお、天板２２にはコンロ２１ａおよびシンク２１ｂが設けられており、上面が作業面となっている。
また、複数の仕切り板２６は、各スペースＳ１〜Ｓ５を構成する箱型家具の側板同士が隣接することによって構成されている。
【００４１】
各スペースＳ１〜Ｓ５のうち、最も左側に位置するスペースＳ１と、左から３番目のスペースＳ３は、リフォーム前の段階でも引き出しタイプの収納が行われていた。そのため、その引き出しの数に応じて前面板２７ａ，２７ｃ，２７ｄ，２７ｅが設けられた状態となっている。
左から２番目のスペースＳ２には、前面開口部を開閉する扉２７ｂが設けられている。
左から４番目のスペースＳ４には、前面開口部を開閉する扉２７ｆが設けられており、その内部空間には、引き出し式のラックが三段設けられている。
左から５番目のスペースＳ５には、前面開口部を開閉する両開き扉２７ｇ，２７ｈが設けられている。
【００４２】
リフォーム時には、まず、スペースＳ１，Ｓ３の場合は引き出しおよびレールごと前面板２７ａ，２７ｃ，２７ｄ，２７ｅを取り外す。スペースＳ４の場合は、扉２７ｆを取り外しつつ三段のラックもレールごと取り外す。スペースＳ２，Ｓ５の場合は扉２７ｂ，２７ｇ，２７ｈを取り外す。
また、付属品等も全て取り外し、コンロ２１ａやシンク２１ｂを交換する際もこのタイミングで取り外す。なお、本実施例ではシンク２１ｂは、シンク２１ｃに交換される。
また、リフォーム前には、各スペースＳ１〜Ｓ５の左右の内側面に固定される矩形状の面材３３を用意し、支持部材（固定側レール）も取り付けた状態としておく。
【００４３】
吊戸棚４０は、上板４２と、底板４３と、左右の側板４４，４５と、背板４６と、前面開口部を開閉する扉４７ａ，４７ｂ，４７ｃと、を備える箱型家具である。その内部空間は、仕切り板によって左右のスペースＳ６，Ｓ７に分かれている。
左側のスペースＳ６，Ｓ７のそれぞれは、複数の棚板が設けられることによって上下方向に複数の収納スペースを有するように構成されている。
なお、右側のスペースＳ７における前面開口部を開閉する扉４７ｂ，４７ｃは両開き形式である。
リフォーム時には、まず、扉４７ａ，４７ｂ，４７ｃを取り外す。また、本実施例においては右側のスペースＳ７の棚板および付属品も取り外す。
【００４４】
換気扇５０は、壁付け式の換気扇であり、換気フード５１によって覆われている。リフォーム時には、換気扇５０そのものも換気フード５１も取り外し、後述する新規の換気扇５５を設置する。
【００４５】
図７〜図１０はリフォーム後のシステムキッチンである。
リフォーム前のシンク２１ｂは、シンク２１ｃに交換されている。また、天板２２は、例えば人工大理石等の化粧材によって被覆され、意匠が変更されている。さらに、背面側の壁Ｋ１にも、リフォーム前とは異なる仕上げが施されている。
そして、各スペースＳ１〜Ｓ５の左右の内側面のそれぞれには、支持部材（固定側レール）が固定された矩形状の面材３３が取り付けられる。
【００４６】
流し台２０におけるスペースＳ１には、前面板２８ａを有する引き出し２８が収納される。当該引き出し２８のサイズは、リフォーム前の引き出しと略等しく、前面板２８ａに把手が設けられる点と、例えば色や柄等の化粧仕上げが異なる点で相違する。スペースＳ１は、その内部空間における幅寸法が比較的短いため、矩形状の面材３３は使用しないものとされている。
そして、その他の各スペースＳ２〜Ｓ５には、それぞれの左右の内側面に、支持部材（図示せず）付きの矩形状の面材３３が固定される。
【００４７】
スペースＳ２には、前面開口部全体を覆う前面板３０ａを有する引き出し３０と、当該引き出し３０の収納部の上方かつコンロ２１ａの下方に位置する内部引き出し３１とが、それぞれ支持部材を介して収納される。
【００４８】
スペースＳ３には、前面板３１ａを有する上段の引き出し３１と、前面板３２ａを有する下段の引き出し３２と、当該下段の引き出し３２の収納部の上方かつ上段の引き出し３１の下方に位置する内部引き出し３３とが、それぞれ支持部材を介して収納される。
【００４９】
スペースＳ４には、前面板３４ａを有する上段の引き出し３４と、前面板３５ａを有する下段の引き出し３５と、当該下段の引き出し３５の収納部の上方かつ上段の引き出し３４の下方に位置する内部引き出し３６とが、それぞれ支持部材を介して収納される。
【００５０】
スペースＳ５には、前面板３７ａを有する引き出し３７と、当該引き出し３７の収納部の上方かつシンク２１ｃの下方に位置する内部引き出し３８とが、それぞれ支持部材を介して収納される。
なお、スペースＳ５の内部空間は、シンク２１ｃの排水管を避けた空間設計が行われている。したがって、引き出し３７および内部引き出し３８の奥行寸法が短く設定されている。
【００５１】
吊戸棚４０のリフォーム前の各扉４７ａ，４７ｂ，４７ｃは、リフォーム後には、流し台２０の各前面板の化粧仕上げに合わせて化粧が施された新規の扉４８ａ，４８ｂ，４８ｃに交換されている。
左側のスペースＳ６には、リフォーム前と同様に複数の棚板が設けられ、上下方向に複数の収納スペースがある。
右側のスペースＳ７には、昇降ラック４９が設置されている。当該昇降ラック４９は、図８に示すように、前方に引き出されることによって下方に降りてきて、上方に押し上げられることによってスペースＳ７内に収納される動作を行うように構成されている。
【００５２】
換気扇については、リフォーム前の換気扇５０は取り外して撤去したため、新規の換気扇５５が設置される。当該換気扇５５としては、下向きに設けられる所謂ダクト換気扇が採用されている。また、換気フード５６も新規のものが設置される。これら換気扇５５および換気フード５６も、流し台２０の各前面板の化粧仕上げに合わせた意匠であることが好ましい。
【００５３】
以上のようにして、箱型家具である流し台２０を備えるシステムキッチンのリフォームが行われる。
【００５４】
本実施例のシステムキッチンにおける流し台２０のリフォーム方法によれば、リフォーム時において前面板２７ａや扉２７ｂ等を取り外した後に、矩形状の面材３９を流し台２０における各スペースＳ１〜Ｓ５の左右の内側面に取り付けることによって、その内部空間に引き出し２８〜３８用の支持部材を設置するので、例えば支持部材を各スペースＳ１〜Ｓ５の左右の内側面に直接取り付ける場合に比して、その位置出しを容易かつ正確に行うことが可能となる。そして、その後、引き出し２８〜３８を支持部材と係合させるとともに前面開口部から収納するだけで、簡単に、前面開口部に前面板２７ａや扉２７ｂ等を設けるタイプの箱型家具であった流し台２０を、引き出しタイプにリフォームできる。
【００５５】
［カップボード］
続いて、箱型家具のリフォーム方法の他の実施例として所謂カップボード６０のリフォーム方法を挙げ、図１１〜図１５を参照して説明する。
カップボード６０は、箱型家具であり、図１１，図１２はリフォーム前のカップボード６０を示している。また、このカップボード６０は、上端部にカウンター８３が設けられた壁Ｋ４の一面側に接して設けられている。
【００５６】
そして、カップボード６０は、天板６１と、床面よりも高い位置にある底板６２と、天板６１と底板６２との間に配置されて上下の空間を構成する中仕切り板６３と、左右の側板６４，６５と、上下の空間をそれぞれ左右に仕切る複数の仕切り板６６とを備えることによって、複数のスペースＳ８，Ｓ９，Ｓ１０，Ｓ１１，Ｓ１２，Ｓ１３，Ｓ１４，Ｓ１５，Ｓ１６，Ｓ１７に区切られて構成されている（図１１参照）。
各スペースＳ８〜Ｓ１７のそれぞれの前面は、前方に向かって開口する前面開口部となっている。
【００５７】
スペースＳ８は、上段であり、前面板６７ａのある引き出しが収納されている。スペースＳ９は、下段であり、前面開口部を開閉する扉６７ｂが設けられた収納部とされている。
スペースＳ１０は、上段であり、前面板６８ａのある引き出しが収納されている。スペースＳ１１は、下段であり、前面開口部を開閉する扉６８ｂが設けられた収納部とされている。
スペースＳ１２は、上段であり、前面板６９ａのある引き出しが収納されている。スペースＳ１３は、下段であり、前面開口部を開閉する扉６９ｂが設けられた収納部とされている。
スペースＳ１４は、上段であり、前面板７０ａのある引き出しが収納されている。スペースＳ１５は、下段であり、前面開口部を開閉する扉７０ｂが設けられた収納部とされている。
スペースＳ１６は、上段であり、前面板７１ａのある引き出しが収納されている。スペースＳ１７は、下段であり、前面開口部を開閉する扉７１ｂが設けられた収納部とされている。
なお、下段の各スペースＳ９，Ｓ１１，Ｓ１３，Ｓ１５，Ｓ１７のそれぞれは、複数の棚板が設けられることによって上下方向に複数の収納スペースを有するように構成されている。
【００５８】
リフォーム時には、まず、スペースＳ９とスペースＳ１１との間にあった仕切り板６６と、スペースＳ１５とスペースＳ１７との間にあった仕切り板６６とを取り除く。さらに、各前面板６７ａ，６８ａ，６９ａ，７０ａ，７１ａおよび扉６７ｂ，６８ｂ，６９ｂ，７０ｂ，７１ｂを取り外す。また、付属品等も全て取り外す。
また、リフォーム前には、各スペースＳ８〜Ｓ１７の左右の内側面に固定される矩形状の面材を用意し、支持部材（固定側レール）も取り付けた状態としておく。
【００５９】
図１３〜図１５はリフォーム後のカップボード６０である。
スペースＳ９とスペースＳ１１との間にあった仕切り板６６と、スペースＳ１５とスペースＳ１７との間にあった仕切り板６６とを取り除いたため、カップボード６０の内部空間には、スペースＳ９とスペースＳ１１とを合わせた広さを持つスペースＳ１８と、スペースＳ１５とスペースＳ１７とを合わせた広さを持つスペースＳ１９とが新たに形成される。
そして、各スペースＳ１８，Ｓ１３，Ｓ１９の左右の内側面のそれぞれには、支持部材（固定側レール）が固定された矩形状の面材が取り付けられる。
【００６０】
スペースＳ８には、前面板７２ａを有する引き出し７２が収納される。
スペースＳ１０には、前面板７３ａを有する引き出し７３が収納される。
これらスペースＳ８、Ｓ１０の下方に位置するスペースＳ１８には、前面板７４ａを有する上段の引き出し７４と、前面板７５ａを有する下段の引き出し７５とが、それぞれ支持部材を介して収納される。下段の引き出し７５には、分別ごみ箱７５ｂ，７５ｃ，７５ｄが収納されている。
【００６１】
スペースＳ１２には、前面板７６ａを有する引き出し７６が収納される。
スペースＳ１３には、前面板７７ａを有する上段の引き出し７７と、前面板７８ａを有する下段の引き出し７８と、当該下段の引き出し７８の収納部の上方かつ上段の引き出し７７の下方に位置する内部引き出し７８ｂとが、それぞれ支持部材を介して収納される。
【００６２】
スペースＳ１４には、前面板７９ａを有する引き出し７９が収納される。
スペースＳ１６には、前面板８０ａを有する引き出し８０が収納される。
これらスペースＳ１４、Ｓ１６の下方に位置するスペースＳ１９には、前面板８１ａを有する上段の引き出し８１と、前面板８２ａを有する下段の引き出し８２と、当該下段の引き出し８２の収納部の上方かつ上段の引き出し８１の下方に位置する内部引き出し８２ｂとが、それぞれ支持部材を介して収納される。
【００６３】
壁Ｋ４の上端部に設けられたカウンター８３の上面は、例えば人工大理石等の化粧材８４ａによって被覆される。また、側面も同様の化粧材８４ｂによって被覆され、底面も化粧材８４ｃによって被覆されて、カウンター８３の意匠が変更される。
なお、変更後のカウンター８３の化粧仕上げと、カップボード６０の各前面板７２ａ〜８２ａの仕上げとを合わせると、意匠性を高められるので好ましい。
【００６４】
また、カウンター８３におけるカップボード６０側とは反対の端部に、側面の化粧材８４ｂと底面の化粧材８４ｃとの間に位置するようにして、かつ、カウンター８３の長さ方向に沿って間接照明８４ｄが設けられている。
さらに、壁Ｋ４におけるカップボード６０側とは反対の側面に、可動式カウンター８５が設けられる。
【００６５】
以上のようにして、箱型家具であるカップボード６０のリフォームが行われる。
なお、このカップボード６０は、上述のシステムキッチンとセットで用いられる場合がある。その場合は、システムキッチンとカップボード６０との間で表面仕上げを揃えることが望ましい。
【００６６】
本実施例のカップボード６０のリフォーム方法によれば、リフォーム時において前面板６７ａや扉６７ｂ等を取り外した後に、支持部材付きの矩形状の面材をカップボード６０における各スペースＳ８，Ｓ１８，Ｓ１９等の左右の内側面に取り付けることによって、その内部空間に引き出し７２〜８２用の支持部材を設置するので、例えば支持部材を各スペースＳ８，Ｓ１８，Ｓ１９等の左右の内側面に直接取り付ける場合に比して、その位置出しを容易かつ正確に行うことが可能となる。そして、その後、引き出し７２〜８２を支持部材と係合させるとともに前面開口部から収納するだけで、簡単に、前面開口部に前面板６７ａや扉６７ｂ等を設けるタイプの箱型家具であったカップボード６０を、引き出しタイプにリフォームできる。
【符号の説明】
【００６７】
１  箱型家具
１ａ  前面開口部
７  扉
８  引き出し
９  引き出し
１０  引き出し
１１  支持部材
１１ａ  固定側レール
１１ｂ  スライドレール
１２  矩形状の面材
２０  流し台
６０  カップボード
【図１】
2015167604.tif 000003
【図２】
2015167604.tif 000004
【図３】
2015167604.tif 000005
【図４】
2015167604.tif 000006
【図５】
2015167604.tif 000007
【図６】
2015167604.tif 000008
【図７】
2015167604.tif 000009
【図８】
2015167604.tif 000010
【図９】
2015167604.tif 000011
【図１０】
2015167604.tif 000012
【図１１】
2015167604.tif 000013
【図１２】
2015167604.tif 000014
【図１３】
2015167604.tif 000015
【図１４】
2015167604.tif 000016
【図１５】
2015167604.tif 000017